(57)【特許請求の範囲】
【請求項１】
テーパ状の棒体を載置する基台と、当該テーパ状の棒体を両側面より保持する一対の保持材と、当該テーパ状の棒体を前記基台に対向する面から押さえ且つ前記一対の保持材の各々に固定される押さえ材と、この押さえ材を当該テーパ状の棒体の太さに応じて移動するように操作することで、一対の保持材の間隔を任意に調整して、前記一対の保持材の各々に固定する固定手段とを有し、
前記押さえ材には、前記一対の保持材で保持された当該テーパ状の棒体の中心に相等する位置に、穿孔用穴を設けることを特徴とする穿孔具。
【請求項２】
前記押さえ材には、当該テーパ状の棒体の中心に相等する位置に沿って、径の異なる複数の穿孔用穴を設けることを特徴とする請求項１に記載の穿孔具。
【発明の詳細な説明】
【技術分野】
【０００１】  本発明は、径の異なる棒体並びにテーパ状の棒体の中心に正確に容易に穿孔することができる穿孔具に関する。
【背景技術】
【０００２】  一般的に、金属製のパイプの側面に孔を開ける方法として、ドリル加工やプレス加工等が公知とされている。【０００３】  ドリル加工により中空状のパイプに孔を開ける先行技術として、例えば、端面がＶ字状のクランプ材にＬ字状のパイプ押えをパイプを挟着して締着可能に取り付け、上記Ｖ字状のクランプ材のＶ字中心線上にドリルやホウルソー等の孔明け工具本体を孔あけ可能に取着したものがある（特許文献１参照）。【０００４】  また、加工物Ｗの表面に接触するプレート１２と、このプレート１２から被加工物Ｗとは反対側に突出し且つ内部にドリル刃Ｄを挿通可能なガイドパイプ１６と、で穴あけジグを構成して、プレート１２を被加工物Ｗに固定できるよう、プレート１２には、止めビスＶを差し込む固定孔１５を設けるものがある（特許文献２参照）。【０００５】  さらに、回転する円錐ドリルにより、パイプに長円孔を開けるものがある。即ち、円錐工具は該パイプに対していくつかの軸方向に操作され、該円錐工具は該パイプの壁を貫通して穿孔し、該パイプの縦方向に操作され、該円錐工具の作業深さは同時に変化でき、該円錐工具が孔の中央領域では、孔の端部より深く該パイプの内部に進むものがある（特許文献３参照）。
【先行技術文献】
【特許文献】
【０００６】
【特許文献１】  実願平１−６８８９６号公報
【特許文献１】  特表平１０−５００９０６号公報
【特許文献１】  実願２０１１−７７１６号公報
【発明の概要】
【発明が解決しようとする課題】
【０００７】上記、先行技術における課題として、特許文献１においては、
（イ）パイプとドリルとの間隔が開き、ドリルが振れて中心に孔をあけることができない。
（ロ）パイプの肉が薄いとパイプが潰れ、上の方に押し上げられ中心に孔をあけることができない。
（ハ）テーパ状のパイプを保持することができず、中心に正確に孔をあけることができない。【０００８】また、特許文献２においては、
（イ）孔を開ける前に、ブラケット、基板、クランプ輪をパイプＰに固定する必要があり、作業性が悪い。
（ロ）孔を開ける前に、パイプの外径に応じたクランプ輪を準備する必要があり、径の事なるパイプの加工は容易でない。
（ハ）テーパ状のパイプを保持することができず、中心に正確に孔をあけることができない。【０００９】さらに、特許文献３においては、
（イ）孔を開ける前に、プレートを被加工物にビスで取り付けなければならない。従って、被加工物にビス穴をあけてしまう。
（ロ）被加工物の幅に応じたプレートを用意しなければならない。
（ハ）パイプ並びにテーパ状のパイプを保持することができず、中心に正確に孔をあけることができない。【００１０】  そこで本発明は上記の点に鑑み、径の異なる棒体の中心に正確に、且つ容易に穿孔できるとともに、テーパ状に形成された棒体の中心に正確に、且つ確実に穿孔させることができる穿孔具を提供することにある。
【課題を解決するための手段】
【００１１】  上記課題を解決するための本発明の穿孔具は、
テーパ状の棒体を載置する基台と、当該テーパ状の棒体を両側面より保持する一対の保持材と、当該テーパ状の棒体を前記基台に対向する面から押さえ且つ前記一対の保持材の各々に固定される押さえ材と、この押さえ材を当該テーパ状の棒体の太さに応じて移動するように操作することで、一対の保持材の間隔を任意に調整して、前記一対の保持材の各々に固定する固定手段とを有し、
前記押さえ材には、前記一対の保持材で保持された当該テーパ状の棒体の中心に相等する位置に、穿孔用穴を設けることを特徴とする。【００１２】  また、前記押さえ材には、当該テーパ状の棒体の中心に相等する位置に沿って、径の異なる複数の穿孔用穴を設けることを特徴とする。
【発明の効果】
【００１３】  本発明のパイプ穿孔具は、押さえ材を当該テーパ状の棒体の太さに応じて前記一対の保持材の各々に固定する固定手段を有し、前記押さえ材には、前記一対の保持材で保持された当該テーパ状の棒体の中心に相等する位置に、穿孔用穴を設けることにより、前記押さえ材を当該テーパ状の棒体の太さに応じて移動するように操作することで、一対の保持材の間隔を任意に調整して、径の異なるテーパ状に形成された棒体の中心に正確に且つ確実に穿孔させることができる。【００１４】  また、押さえ材には、当該テーパ状棒体の中心に相等する位置に沿って、径の異なる複数の穿孔用穴を設けることにより、簡便な構造で、当該テーパ状棒体の中心に正確に且つ容易に径の異なる複数の孔を穿孔することができる。
【図面の簡単な説明】
【００１５】
【図１】本発明の穿孔具の全体斜視図である。
【図２】前記穿孔具の背面から視た全体斜視図である。
【図３】前記穿孔具の使用状態である。
【図４】前記穿孔具の正面方向から視た断面図である。
【図５】前記穿孔具の側面方向から視た断面図である。
【図６】前記穿孔具の平面図である。
【図７】テーパ状のパイプに孔を開ける状態の平面図である。
【発明を実施するための形態】
【００１６】  本発明の穿孔具は、径の異なる棒体に自在に穿孔できるとともに、テーパ状に形成された棒体の中心に正確に、且つ確実に穿孔できることを特徴とする。
以下、本発明の穿孔具として、棒体であるパイプにおける一実施例の形態を図１乃至図７面に基づいて説明する。
【００１７】  図示する穿孔具１は、電動ドリルの刃４０を挿入する穿孔用穴１１及び、連結ネジ１３を挿入する案内孔１２を有する押え材１０と、パイプ２を両側面より保持する一対の保持材２０と、前記一対の保持材２０を挟持する挟持材３０とを備えることを特徴とする。
【００１８】  押え材１０は金属製であり、肉厚の略矩形状を呈している。また、前記押え材１０の長手方向（図示Ａ）の中央には、電動ドリルの刃４０を挿入する穿孔用穴１１が、押え材１０の短手方向（図示Ｂ）に沿って複数穿孔されている。
【００１９】  特に前記複数の穿孔用穴１１は、径の異なる電動ドリルの刃４０に対応できるよう、図６に示すように大径の穿孔用穴１１ａ、小径の穿孔用穴１１ｂ、中径の穿孔用穴１１ｃが穿孔されている。そのことにより、様々な径の刃４０を挿入することができ、高い利便性を実現できる。
【００２０】  また前記押え材１０には、連結ネジ１３を挿入する案内孔１２が複数穿孔されている。前記案内孔１２は前記押え材１０の両側部に複数（図中１８個）穿孔されている。そのため、連結ネジ１３の配設位置を調整することで、径の異なるパイプ２においても適宜対応できる。
【００２１】  保持材２０は長尺コ字形を呈しており、保持材２０の垂直片２３によりパイプ２の両側面を保持するものである。また一方の保持材２０の垂直片２３には、押圧用の保持ネジ２４が複数設置されている（図２に示す）。さらに前記保持材２０の上片２１の短手方向（図示Ｂ）には、連結ネジ１３を挿入する複数の案内孔２２が等間隔に穿孔されている。そのことにより、さまざまな長さを有するパイプ２に適宜対応できる。
【００２２】  挟持材３０は、施工現場等で使用される市販の挟持材が使用される。前記挟持材３０は、アーチ部３１と、アーチ部３１の下方一端に設置された操作ネジ３２と、当該操作ネジ３２の端部に設置された挟持片３４と、アーム部３５からなる。
【００２３】  前記挟持材３０の他方の固定ネジ３３にて他方の保持材２０を押圧させ、挟持材３０の操作ネジ３２を回動させることにより、当該操作ネジ３２の端部に設置された挟持片３４にて一方の保持材２０を押圧させ、パイプ２を確実に固定することができる。
【００２４】  次に、本発明の穿孔具の使用方法を図３乃至図７に基づいて説明する。
先ず図３に示すように、一対の保持材２０間にパイプ２を配置させ、挟持材３０の操作ネジ３２を操作してパイプ２を固定する。
【００２５】  押え材１０には、前記一対の保持材２０で保持されたパイプ２の中心に相等する位置に穿孔用穴１１を設けているので、押え材１０の穿孔用穴１１がパイプ２の中心に位置することができる。
【００２６】  そして、案内孔１２に連結ネジ１３を螺着させて押え材１０を固定する。この状態で図４及び図５に示すように、開孔すべき大きさのドリルの刃４０を穿孔用穴１１に配置させて開孔作業を行う。
【００２７】  またこの際、押え材１０に穿孔されている案内孔１２の位置や、保持材２０のネジ孔２２の位置を選択することで、如何なる径のパイプ２においても、確実に孔を開けることができる。
【００２８】  さらに、テーパ状のパイプ３に孔を開ける場合、図７に示すように、連結ネジ１３を緩めた状態とし、この状態でガイドプレート１０を移動するように操作することで、一対の保持材２０の間隔を任意に調整することができる。そのことにより、テーパ状のパイプ３も確実に固定することができ、容易に開孔作業を行うことができる。
【００２９】  上述の構造とすることにより、径の異なるパイプに自在に穿孔できるとともに、テーパ状に形成されたパイプの中心に正確に、且つ確実に穿孔させることができる。
【００３０】  なお、他の実施例の棒体としては角状棒体や丸状棒体にも適用可能である。また、押え材の材料として、樹脂材で構成することもできる。
【符号の説明】
【００３１】１    穿孔具
２    パイプ
３    テーパ状パイプ
１０  押え材
１１  穿孔用穴
１２  案内孔
１３  連結ネジ
２０  保持材
２１  上片
２２  ネジ孔
２３  垂直片
２４  保持ネジ
３０  挟持材
３１  アーチ部
３２  操作ネジ
３３  固定ネジ
３４  挟持片
３５  アーム部
４０  ドリル
５０  基台
【要約】
【課題】  径の異なるパイプの中心に正確に穿孔できるとともに、テーパ状に形成されたパイプに正確に、且つ中心に確実に穿孔させることができるパイプ穿孔具を提供すること。
【解決手段】  本考案のパイプ穿孔具は、電動ドリルの刃を挿入するドリル孔及び、連結ネジを挿入するネジ孔１２を有するガイドプレート１０と、パイプを両側面より保持する一対の保持具２０と、前記ガイドプレート１０と保持具を連結する連結ネジ１３と、前記保持具を挟持する挟持具とを備えることを特徴とする。
また前記ドリル孔１１は、操作板に径の異なるドリル孔が複数穿孔され、前記ネジ孔は、ガイドプレートの前後左右方向に複数穿孔され、さらに保持具の長手方向に、複数の連結ネジを挿入するネジ孔を穿孔した。
【選択図】図１【図１】
0005994120.tif 000002
【図２】
0005994120.tif 000003
【図３】
0005994120.tif 000004
【図４】
0005994120.tif 000005
【図５】
0005994120.tif 000006
【図６】
0005994120.tif 000007
【図７】
0005994120.tif 000008